(57)【特許請求の範囲】
【請求項１】
容器と、容器に取着されたヒンジキャップと、該ヒンジキャップに取着された塗布部材とからなる塗布用具であって、
容器は、口部および胴部を具えて、口部は胴部に対して傾斜させるよう双方の中心線を交差させており、
ヒンジキャップは、注出筒を具えたキャップ基体と、キャップ基体に蝶番を介して取着され、注出筒の内周に嵌挿される連通筒を垂設した開閉蓋とを具備しており、
塗布部材は、塗布ボールと、該塗布ボールを抱持し下端に開口を設けた抱持壁と該抱持壁の中間部外周に垂設された係合筒と係合リングとを具えた抱持体とを具備し、
キャップ基体は、傾斜した容器の口部の最上位置で蝶番と接続するように、容器の口部の位置決めリブに係合するリブを具え、
開閉蓋は、頂壁の下面に押えリングを突設したオーバーキャップを螺着する螺着筒を具え、螺着筒の上面に取付リングが立設され、塗布部材の係合筒と係合リングが、取付リングのそれぞれ内周と外周に係合して挟持していることを特徴とする塗布用具。
【発明の詳細な説明】
【０００１】
【発明の属する技術分野】
本発明は、塗布用具、とくに塗布ボールを具えた塗布用具に関する。
【０００２】
【従来の技術】
塗布用ボールを具えた塗布部材を容器口部に取着した化粧料や薬剤等の塗布用具は、従来より知られている（例えば、実開平７−４０５２０号公報参照）。
【０００３】
【発明が解決しようとする課題】
上記従来の塗布用具は、塗布用ボールを被塗布面に当てて塗布用具を移動させて塗布するようにしていた。
そのため、限られた比較的狭い範囲の被塗布面に均一に塗布するためには好適であるが、広い範囲に塗布する場合には、塗布用具を何度も往復させなければならず、時間がかかり面倒でもあった。
また、被塗布面が湾曲面であると、塗布用具の取扱い操作がうまくできないときもあるという問題があった。
【０００４】
広い範囲に塗布するため、容器口部から塗布部材を取り外し、容器から必要量の塗布物を直接手のひらや布面上に注出して被塗布面に塗布することが考えられるが、塗布物を必要量だけ注出することが困難であるという問題があった。
【０００５】
また、限られた狭い範囲とともに必要に応じて広範囲に塗布することができるように、スポンジ等の多孔性物からなる塗布面を有する塗布具と、噴霧器とを備えた噴霧兼用塗布容器も知られているが、塗布面が多孔性の球状体によって形成されているため、粉体や粘性液の塗布には採用できないという問題があった。
【０００６】
本発明は、上記問題を解決することを課題として、液体だけでなく、クリーム状液、粉体の化粧料や薬剤等の塗布物を、限られた狭い範囲とともに必要に応じて多量の塗布物を広い範囲にも塗布できるようにし、その切り替えも容易にできるようにした塗布用具を提供することを目的とする。
【０００７】
【課題を解決するための手段】
本発明は、上記の課題を解決するため、塗布用具として、容器と、容器に取着されたヒンジキャップと、該ヒンジキャップに取着された塗布部材とからなる塗布用具であって、容器は、口部および胴部を具えて、口部は胴部に対して傾斜させるよう双方の中心線を交差させており、ヒンジキャップは、注出筒を具えたキャップ基体と、キャップ基体に蝶番を介して取着され、注出筒の内周に嵌挿される連通筒を垂設した開閉蓋とを具備しており、塗布部材は、塗布ボールと、該塗布ボールを抱持し下端に開口を設けた抱持壁と該抱持壁の中間部外周に垂設された係合筒と係合リングとを具えた抱持体とを具備し、キャップ基体は、傾斜した容器の口部の最上位置で蝶番と接続するように、容器の口部の位置決めリブに係合するリブを具え、開閉蓋は、頂壁の下面に押えリングを突設したオーバーキャップを螺着する螺着筒を具え、螺着筒の上面に取付リングが立設され、塗布部材の係合筒と係合リングが、取付リングのそれぞれ内周と外周に係合して挟持していることを特徴とする構成を採用する。
【０００８】
【発明の実施の形態】
次に、本発明塗布用具の実施形態について、図面を参照して説明する。
図１において、Ａｂは容器、Ｂｂは塗布具、Ｃｂはオーバーキャップである。
【０００９】
容器Ａｂは、口部９０と細巾の肩部９１、胴部９２と底部９３とからなり、口部９０は胴部９２に対して傾斜させるよう双方の中心線を交差させている。
口部９０外周の上部には、一対の位置決めリブ９４が突設されており、その下方は拡径され、拡径部の上端には係合突条９５が設けられている。
【００１０】
図１，２に示すように、塗布具Ｂｂは、ヒンジキャップＢｂ１とヒンジキャップＢｂ１に取着された塗布部材Ｂｂ２とからなっており、ヒンジキャップＢｂ１は、キャップ基体９６と蝶番９７を介してキャップ基体９６に取着された開閉蓋９８とからなっている。
【００１１】
キャップ基体９６は、上壁９９と側周壁１００とを具えており、上壁９９の内周には、上端を開口１０１とした注出筒１０２が立設されており、上壁９９下面には、口部９０内周に嵌合する密封リング１０３が垂設されている。
【００１２】
側周壁１００の内周には、位置決めリブ９４に係合する一対のリブ１０４ａ，ｂが上壁９９下面との間に架設されており、内周下端には、係合突条９５に係合する係合突条１０５が設けられている。
一方のリブ１０４ａに対応する側周壁１００外周には、蝶番９７が連設され、反対側の外周には、凹み１０６が設けられている。
【００１３】
開閉蓋９８は、側周壁１０７と連結壁１０８、螺着筒１０９と螺着筒１０９の中間部に連設された頂壁１１０とを具えている。
側周壁１０７には、蝶番９７の一端が接続され、蝶番９７の反対側には、つまみ１１１が設けられている。
【００１４】
螺着筒１０９の外周には、ねじ１１２が螺設されており、上端内周には、頂壁１１０から上方に延びるよう形成され、上端外周に膨出環１１３が設けられた取付リング１１４が連設されている。
頂壁１１０の内周縁には、内周筒１１５が垂設され、内周筒１１５の下方には、上端を段部１１６として内周筒１１５より縮径された連通筒１１７が連設されている。
【００１５】
塗布部材Ｂｂ２は、塗布ボール１２０と、該塗布ボール１２０を抱持する抱持体１２１とからなっており、塗布ボール１２０の表面全体には、凹凸或いは凹条が刻設されている。
抱持体１２１は、中央下端に開口１２２を穿孔した抱持壁１２３を具えており、開口１２２の内周上端には、突出縁１２４が設けられ、塗布ボール１２０は、突出縁１２４と抱持壁１２３の上端内周縁１２５によつて回転自在に抱持されている。
【００１６】
抱持壁１２３の下方には、開口１２２内周縁に沿って下方の内径を連通筒１１７の内径と同じくする内筒１２６が垂設されている。
内筒１２６の下端は、段部１１６に係合し、外周は内周筒１１５内周に係合している。
【００１７】
内筒１２６の外側には、取付リング１１４の内周に係合する係合筒１２７が垂設されている。
抱持壁１２３の中間部外周には、外方に突出し、その周縁に係合リング１２８を垂設した環状板１２９が突設されており、係合リング１２８の内周下端には、取付リング１１４の膨出環１１３の下側に係合する膨出環１３０が設けられている。
【００１８】
抱持体１２１の取着にあたって、係合筒１２７と係合リング１２８が、螺着筒１０９とその上面の取付リング１１４を内外から挟持するよう嵌合され、抱持体１２１がヒンジキャップＢｂ１に取着される。
【００１９】
オーバーキャップＣｂは、頂壁１３５と側周壁１３６とを具えており、頂壁１３５の下面には、押えリング１３７が設けられている。
側周壁１３６内周には、段部１３８が設けられ、その下方には、ねじ１１２に螺合するねじ１３９が螺設されている。
【００２０】
次に、本実施形態塗布用具の使用態様と作用効果について説明する。
容器Ａｂに塗布物を充填した後、塗布部材Ｂｂ２を取着し、オーバーキャップＣｂを被嵌したヒンジキャップＢｂ１を、口部９０外周の上側の位置決めリブ９４にリブ１０４ａを係止させ、蝶番９７がキャップ基体９６の上壁９９面で最上位置にくるよう位置合わせし、ヒンジキャップＢｂ１を打栓により容器Ａｂの口部９０に嵌着し、塗布用具が形成される。
【００２１】
使用にあたって、第１実施形態と同様に、限られた狭い範囲に塗布するときには、オーバーキャップＣｂを開き、図３に示すように容器Ａｂを倒立させて塗布ボール１２０を所望の被塗布面ｐに押しつけ、塗布用具を動かしていくと、塗布ボール１２０が回転して、連通筒１１７を通じて抱持体１２１の開口１２２に落下した塗布物は、開口１２２の突出縁１２４に抑えられ、塗布ボール１２０の凹部に付着して抱持壁１２３内を移動する。
【００２２】
塗布ボール１２０の回転に伴なって、塗布物を付着した塗布ボール１２０面が抱持壁１２３の上端より離れ、被塗布面ｐに接触すると、付着した塗布物が凹部より被塗布面ｐに移動し、塗布されることになる。
かくして塗布物を所望の範囲に塗布することができる。
【００２３】
塗布物を多量に使用して広い範囲に塗布するときには、ヒンジキャップＢｂ１の開閉蓋９８を開くと、連通筒１１７が廻動されて、注出筒１０２の開口１０１が露出され、図４に示すように、容器Ａｂを傾けると、開口１０１より塗布物が注出される。
塗布物を直接被塗布面に塗布するか、手のひら、布面に取り上げ、所要の被塗布面に塗布することによって、多量の塗布物を広い範囲にわたって塗布することができる。
【００２４】
塗布後には、ヒンジキャップＢｂ１の開閉蓋９８を閉じ、オーバーキャップＣｂを閉じると、容器内に残った塗布物をそのまま保管しておくことができる。
【００２５】
【発明の効果】
本発明は、上記のように構成されているから、次の効果を奏する。
塗布ボールを具えた塗布部材を、注出筒と取着部材を具えたヒンジキャップに取着し、ヒンジキャップを開閉することにより、塗布ボールを介しての塗布と、注出筒を通じての塗布物の注出とができるようにしたから、限られた狭い範囲の塗布と、広範囲にわたる塗布のいずれでもできるようになった。
【００２６】
塗布部材をヒンジキャップの開閉蓋に取着するようにしているから、塗布ボールを介しての塗布とキャップの注出筒を通じての注出との切替は、ヒンジキャップを開閉するだけで切替操作が簡単にできる。
【図面の簡単な説明】
【図１】  本発明の実施形態塗布用具の一部断面正面図である。
【図２】  本発明の実施形態塗布用具の塗布具とオーバーキャップの分解説明図で、（ａ）はオーバーキャップ、（ｂ）は塗布部材、（ｃ）はヒンジキャップの断面正面図である。
【図３】  本発明の実施形態塗布用具の塗布ボールによる塗布時の説明図である。
【図４】  本発明の実施形態塗布用具の注出時の説明図である。
【符号の説明】
Ａｂ          容器
Ｂｂ          塗布具
Ｂｂ１        ヒンジキャップ
Ｂｂ２        塗布部材
Ｃｂ          オーバーキャップ
ｐ            被塗布面
９０          口部
９２          胴部
９４          位置決めリブ
９５，１０５  係合突条
９６          キャップ基体
９７          蝶番
９８          開閉蓋
９９          上壁
１００        側周壁
１０１        開口
１０２        注出筒
１０３        密封リング
１０４ａ，ｂ  リブ
１０７        側周壁
１０８        連結壁
１０９        螺着筒
１１０，１３５頂壁
１１２        ねじ
１１３，１３０膨出環
１１４        取付リング
１１５        内周筒
１１６，１３８段部
１１７        連通筒
１２０        塗布ボール
１２１        抱持体
１２２        開口
１２３        抱持壁
１２４        突出縁
１２５        上端内周縁
１２６        内筒
１２７        係合筒
１２８        係合リング
１２９        環状板
１３６        側周壁
１３７        押えリング
１３９        ねじ
【図１】
0004979853.tif 000002
【図２】
0004979853.tif 000003
【図３】
0004979853.tif 000004
【図４】
0004979853.tif 000005